(57)【特許請求の範囲】
【請求項１】
流体貯溜槽内に貯溜された流体の表面に発生した泡を、シャワーからの散水作用により消泡する消泡装置において、
前記流体貯溜槽内を２槽または３槽以上に区分する一つまたは複数の仕切り板（１１）と、
この仕切り板の一部を切り欠いて、底部（１３ａ）が流体貯溜槽内の流体表面近傍に位置するように形成された切欠部（１３）と、
この切欠部を通して前記仕切り板により仕切られた前記槽のうち隣り合う一方の槽から他方の槽へ前記流体に流れを発生させる起流手段（Ｐ）と、
前記切欠部の上方に配置されたシャワー（１４）とこのシャワーに消泡用の流体を供給する供給手段（１２，Ｐ）とからなり、前記起流手段（Ｐ）により前記切欠部を通って流れる流体表面の泡に向けて散水する散水手段と、
からなることを特徴とする流体貯溜槽の消泡装置。
【請求項２】
前記流体貯溜槽は、シェル鋳型の造型の際に発生する排ガスを脱臭処理する脱臭装置における、シャワー（２）からの散水作用により前記排ガス中に含まれる有害成分を除去する排ガス塔（１）の下部に設けられた処理水の貯溜タンク（１０）であること、を特徴とする請求項１に記載の流体貯溜槽の消泡装置。
【発明の詳細な説明】
【０００１】
【産業上の利用分野】
この発明は、処理水などの流体を貯溜する流体貯溜槽内で前記流体に発生する泡を、シャワーからの散水作用によって消泡する消泡装置に関するものである。
【０００２】
【従来の技術】
例えば、シェル鋳型の造型においては、熱硬化性の合成樹脂を配合したけい砂を加熱して鋳型を形成する。このとき、多量の排ガスが発生するが、この排ガスには、アンモニア，フェノール，ホルムアルデヒドなどの有害成分を含有しているため、そのままでは大気中に放出することはできない。そのため、図示するような脱臭装置を介在させて排ガスを脱臭してから放出するようにしている。
図２は、脱臭装置を示すもので、（ａ）  は脱臭装置の全体構成を示す概略図、（ｂ）  は脱臭装置の下部に設けられた処理水の貯溜タンクを示す斜視図である。
この脱臭装置は、円筒状の排ガス塔１と、排ガス塔１内に設けられた邪魔板３と、排ガス塔１の下部に設けられた流体貯溜槽としての処理水の貯溜タンク４と、この貯溜タンク４内の処理水を汲み上げて排ガス塔１の上方から散水する散水装置等からなっている。
【０００３】
排ガスは、排ガス塔１の下方に設けられた排ガスの導入管７から排ガス塔１内に導かれ、排ガス塔１内を上方に向けて上昇する。このとき、排ガス塔１内には交叉状に邪魔板３が設けられているので、排ガスは排ガス塔１内を一気に通過することはできず、邪魔板３に沿ってある程度以上の時間をかけながら上昇していく。排ガス塔１の上方にはシャワー２が設けられていて、貯溜タンク４からモータＭにより駆動されるポンプＰにより汲み上げられた処理水が配水管６を通ってシャワー２に供給され、排ガス塔１の上方から勢いよく、かつ、大量に散水されるようになっている。すなわち、シャワー２により排ガス塔１内に散水された大量の処理水と邪魔板３に沿って上昇する排ガスとが接触して、排ガス中の有害成分が処理水中に溶け込み、貯溜タンク４に回収される。そして、この貯溜タンク４内で、処理水中のバクテリアにより分解されて脱臭される。
【０００４】
ところで、通常排ガスの脱臭に使用されている処理水は生活用排水で、その性質上、処理水面に泡が生じやすい。そのため、処理水を排ガス塔１の上方から散水させると、貯溜タンク４内の処理水の表面に多量の泡が発生し、放置しておくと貯溜タンク４の外に溢れ出してしまうという問題がある。そこで、従来より、貯溜タンク４内の全体にわたって配水管５を施し、この配水管５の適宜箇所にシャワー５ａを設けて、このシャワー５ａからの散水作用によって消泡するようにしていた。
しかしながら、貯溜タンク４内に貯溜された処理水の全体にわたって満遍なく散水を行うには、シャワー５ａを多数配設しなればならず、消泡のための設備コストが高価になるという問題がある。また、シャワー５ａにより処理水の表面全体にわたって満遍なく散水するには、シャワー５ａの散水穴はできるだけ小さく、かつ、多数個設ける必要がある。ところが、シャワー５ａからの散水も貯溜タンク４内の処理水を汲み上げて行っているため、処理水中に混入している異物が配水管の途中やシャワー５ａの散水穴に詰まりやすいという問題がある。そのため、配水管やシャワーの清掃，点検等を頻繁に行わなければならず、作業者の作業負担が大きく設備の稼働率も低下するという不具合があった。
【０００５】
【発明が解決しようとする課題】
この発明は上記の問題点に鑑みてなされたもので、その目的とするところは、流体貯溜槽内の流体表面に生じた泡を、簡素な装置で効率よく消泡することができ、かつ、シャワーの散水穴等の目詰まりを防止して保守，点検の容易な流体貯溜槽の消泡装置を提供しようとするものである。
【０００６】
【課題を解決するための手段】
上記問題点を解決するために本発明の流体貯溜槽の消泡装置は、流体貯溜槽内に貯溜された流体の表面に発生した泡を、シャワーからの散水作用により消泡する消泡装置において、前記流体貯溜槽内を２槽または３槽以上に区分する一つまたは複数の仕切り板と、この仕切り板の一部を切り欠いて、底部が流体貯溜槽内の流体表面近傍に位置するように形成された切欠部と、この切欠部を通して前記仕切り板により仕切られた前記槽のうち隣り合う一方の槽から他方の槽へ前記流体に流れを発生させる起流手段と、前記切欠部の上方に配置されたシャワーとこのシャワーに消泡用の流体を供給する供給手段とからなり、前記起流手段により前記切欠部を通って流れる流体表面の泡に向けて散水する散水手段とからなることを特徴とする。
上記構成の消泡装置は、シェル鋳型を造型する際に発生する排ガスを、排ガス塔内における処理水の散水作用により脱臭する脱臭装置に設けられた貯溜タンクに適用することにより、大きな効果を得ることができる。
【０００７】
【作用】
本発明の流体貯溜槽の消泡装置は上記のように構成されているので、以下のように作用する。
流体貯溜槽の内部は、仕切り板により少なくとも２槽以上に区分けされる。仕切り板には切欠部が形成されているので、この切欠部を通って一方の槽内の流体は仕切り板を介して隣合う他方の槽内に流れこむことができる。槽内の流体の流れは、ポンプやプロペラ等の起流手段により発生させることができる。また、切欠部は、その底部が流体の表面近くに位置するように形成されているので、泡の発生している流体の表面が効率良く切欠部に送られる。この切欠部の上方にはシャワーが設けられているので、このシャワーからの散水作用により、切欠部を通る泡が連続的に消泡される。
【０００８】
また、本発明をシェル鋳型造型の際に発生する排ガスの脱臭装置に適用したものは以下のように作用する。
排ガスは排ガス塔内を上昇するが、排ガス等の上方にはシャワーが設けらているので、このシャワーからの散水作用によりアンモニア等の排ガス中の有害成分が処理水に溶け込んで下方の貯溜タンクに回収される。このとき、処理水が落下する一方の槽の処理水表面には大量の泡が発生する。処理水は他方の槽から汲み上げられ、一方の槽と他方の槽との間の仕切り板には切欠部が設けられているので、切欠部を通る処理水の流れが発生する。そして、泡は切欠部を通過する際にシャワーからの散水作用により消泡される。
【０００９】
【実施例】
本発明の一実施例を図面に従って説明する。なお、以下の実施例ではシェル鋳型を造型する際に発生する排ガスを脱臭処理する脱臭装置における、処理水の貯溜タンクに本発明の消泡装置を設けるものとして説明する。また、以下の実施例において排ガス塔１の構成については従来例で示したものと同一であるので、ここでは詳しい説明は省略する。
図１は本発明の一実施例にかかり、処理水を貯溜する貯溜タンク内の構成を説明する斜視図である。
貯溜タンク１０の中央には仕切り板１１が設けられていて、その両側に第１槽Ａと第２槽Ｂとが形成されている。この仕切り板１１は、後述する切欠部１３にできるだけ効率良く処理水を流すようにするために、第１槽Ａと第２槽Ｂを完全に遮蔽するものであることが望ましい。そして、排ガス塔１（図２参照）の上方からシャワー２により散水された処理水は第１槽Ａに回収されるようにする。
【００１０】
仕切り板１１の一部を切り欠いて切欠部１３が形成されている。この切欠部１３の底部１３ａは、処理水の水面近傍に位置していて、第１槽Ａから第２槽Ｂへの処理水の流通を可能にしているとともに、第１槽Ａの処理水の表面が効率良く切欠部１３に流れ込むようになっている。この実施例で切欠部１３は仕切り板１１の端部に一つだけ形成されているが、仕切り板１１の他の部位に設けるものとしても構わない。また、仕切り板１１の複数箇所に設けるものとしてもよい。
【００１１】
この切欠部１３の上方にはシャワー１４が設けられている。このシャワー１４には、配水管１２が接続され、第２槽Ｂ内の処理水を汲み上げるためのポンプＰに接続されている。すなわち、第２槽Ｂから汲み上げられた処理水がシャワー１４に送られて散水されるわけである。ポンプＰは、排ガス塔１（図２参照）の上部に設けられたシャワー２に送水するポンプＰと共通のものとしてもよいし、前記したポンプＰとは別個に設けるものとしてもよい。なお、図中の符号ＭはポンプＰを駆動するためのモータである。
上記した配水管１２とポンプＰとで処理水の供給手段が構成されるとともに、配水管１２，ポンプＰおよびシャワー１４等で散水手段が構成される。
【００１２】
ポンプＰにより第２槽Ｂの処理水が汲み上げられることにより、第２槽Ｂの水位が下がるので、第１槽Ａから第２槽Ｂへの水流が発生する。すなわち、ポンプＰがこの実施例における起流手段となる。
なお、処理水に第１槽Ａから第２槽Ｂへの水流を発生させるための起流手段は上記のポンプＰによるものに限られず、スクリューやプロペラを処理水中に設けて回転させ、水流を発生させるものとしてもよい。
なお、上記のように構成することにより、消泡のための処理水の散水は切欠部１３に向けて集中的に行えばよく、散水を広範囲に行う必要もなくなるので、散水穴１４ａを大きく、かつ、少なくすることができ、従って、シャワー１４の目詰まりもしにくいものとなる。また、シャワー１４に処理水を供給するための配水管１２の管径も太くすることができるので、配水管１２も詰まりの生じにくいものとなる。
【００１３】
次に、上記構成の本発明の消泡装置の作用を説明する。
ポンプＰにより第２槽Ｂから汲み上げられた処理水の一部はシャワー２（図２参照）に供給されて排ガス塔１の上方から散水され、第１槽Ａに回収される。また、処理水の一部はシャワー１４に供給されて切欠部１３の上方から散水される。
第２槽Ｂから処理水が汲み上げられることにより、第１槽Ａの処理水が切欠部１３を通って第２槽Ｂに流れ込む。このとき、切欠部１３の底部１３ａが処理水の水面近傍に位置しているため、処理水の水面にできた泡が効率良く切欠部１３に送られることになる。切欠部１３の上方からはシャワー１４により処理水が散水されているため、切欠部１３を流れる処理水の表面に発生した泡が消泡される。
【００１４】
本発明の好適な実施例を説明してきたが本発明は上記の実施例により何ら限定されるものではない。例えば、上記の実施例では第２槽Ｂから汲み上げた処理水を排ガス塔１の上方からシャワー２により散水し、散水された処理水は第１槽Ａに回収されるようにしたが、切欠部１３の反対側にも他の切欠部を設けるとともに、プロペラ等の起流手段により第１槽Ａと第２槽Ｂとの間で循環的な水流を発生させれば、第１槽Ａで発生した泡は第２槽Ｂに流れ込むときに切欠部１３で消泡することができ、第２槽Ｂで発生した泡は第１槽Ａへ流れ込むときに前記他の切欠部で消泡することができるようになる。
また、この実施例ではシェル造型の際に発生する排ガスの脱臭装置における処理水の貯溜タンク１０を例に挙げて説明したが、本発明は他の流体貯溜槽にも適用が可能である。
【００１５】
【発明の効果】
本発明は上記のように構成されているので、以下のような効果を奏する。
仕切り板により槽を区切るとともに、起流手段により水流を発生させて切欠部に効率良く泡が流れるようにし、この切欠部で集中的に消泡を行うようにしたので、槽内に設ける消泡用のシャワーの数を大幅に減少させることができ、消泡設のための設備コストを削減することができる。
また、シャワーの散水穴を大きくすることができ、シャワーに流体を供給するための配水管も太くすることができるので、シャワーや配水管の詰まりを防止することができる。そのため、保守，点検等の作業負担が軽減され、設備の稼働率も向上する。
【図面の簡単な説明】
【図１】本発明の一実施例にかかり、貯溜タンクおよび消泡装置の斜視図である。
【図２】本発明の従来例にかかり、（ａ）  は脱臭装置の全体構成を示す概略図、（ｂ）  は脱臭装置の下部に設けられた流体貯溜槽を示す斜視図である。
【符号の説明】
１                排ガス塔
２                シャワー
３                邪魔板
４，１０          貯溜タンク（流体貯溜槽）
５                配水管
５ａ              シャワー
１１              仕切り板
１２              配水管
１３              切欠部
１３ａ            底部
１４              シャワー
１４ａ            散水穴
Ａ                第１槽
Ｂ                第２槽
Ｐ                ポンプ（起流手段）
Ｍ                モータ
【図１】
0003572552.tif 000002
【図２】
0003572552.tif 000003